(57)【要約】【課題】複数室の換気機能を備えた浴室暖房換気システムにおいて、浴室内暖房作動時における強制換気による暖房効率低下を防止することを目的とする。【解決手段】浴室Ｂと脱衣所ＤとトイレＴとの空気を強制排出するための換気ファン５１を備えた浴室暖房換気システム１において、換気ファン５１と浴室換気用吸込み口３８との間にダンパー５７を設ける。  このダンパー５７は、換気ファン５１連続作動時において浴室暖房作動が開始された場合には閉じるように構成される。    これにより、浴室内において暖房作動時には強制換気は行われず、暖房温風が強制排出されることがない。【選択図】    図１
2005121303.tif 000002
【特許請求の範囲】
【請求項１】
浴室を暖房する浴室暖房装置と、
上記浴室を含む複数の部屋の換気を共通のファンにより一括して行なう換気装置と
を有する浴室暖房換気システムであって、
上記浴室暖房装置は、浴室の暖房運転時において、上記換気装置に暖房運転中である旨の暖房信号を出力して上記換気装置の作動をコントロールすることを特徴とする浴室暖房換気システム。
【請求項２】
上記暖房信号の出力が所定時間以上継続した場合には、上記暖房信号の出力を停止して、上記換気装置の作動を元の状態に復帰させることを特徴とする請求項１記載の浴室暖房換気システム。
【請求項３】
上記換気装置は、上記浴室から上記ファンに至る独立した排気通路および該排気通路の開度を調整する調整手段を備え、上記暖房信号を受信して上記調整手段により上記独立した排気通路を閉じる、あるいは開度を小さくすることを特徴とする請求項１または請求項２記載の浴室暖房換気システム。
【請求項４】
上記換気装置は、上記ファンの回転数を制御する制御手段を備え、上記暖房信号を受信して上記制御手段により上記ファンの停止を行う、あるいは回転数を下げることを特徴とする請求項１または請求項２記載の浴室暖房換気システム。
【発明の詳細な説明】
【技術分野】
【０００１】
本発明は、浴室暖房装置と複数の部屋を同時に換気する換気装置とを備えた浴室暖房換気システムに関する。
【背景技術】
【０００２】
従来、浴室暖房換気装置は、浴室内天井に設けられた暖房放熱器の内部に、熱源器（温水加熱器）に連結した熱交換器、熱交換器により加熱された空気を浴室内に循環する温風循環ファン、浴室内の空気を換気する換気ファンが組込まれているのが一般的である。
このような浴室暖房換気装置では、暖房作動時には、換気ファンの運転を停止して、浴室内に温風を循環させる。
【０００３】
ところで最近では、特許文献１に示すように、浴室の他に複数室の換気を行うことのできる浴室暖房換気装置が提案されている。
この浴室暖房換気装置は、浴室の他に脱衣所の換気を行うことができ、図３に示すように、浴室Ｂの天井面に設けた暖房放熱器３ａに浴室換気用吸込み口３８ａを備えるとともに、脱衣所Ｄの天井面にも脱衣所換気用給気口Ｄａを備える。
そして、暖房放熱器３ａ内部に設けた換気ファンにより、浴室Ｂと脱衣所Ｄとの空気を一括して吸込み、建物に備えられた排気口５３ａより排出する。
また、この浴室暖房換気装置は、その換気用通路により浴室Ｂと脱衣所Ｄとが連通されるが、この換気用連通路中には図示しないシャッターが設けられ、シャッターの自重により、換気ファンが作動していない時には換気用通路を閉止するように構成される。これにより、浴室Ｂの湿気が脱衣所Ｄに流出することを阻止することができる。
【０００４】
このような構成により、換気ファンを浴室Ｂと脱衣所Ｄとで兼用することができ、設備コストを安価にすることができるとともに、施工手間も軽減される。
【特許文献１】特開平９−２６４５５２
【発明の開示】
【発明が解決しようとする課題】
【０００５】
しかしながら、上記従来技術では、浴室Ｂと脱衣所Ｄとの換気を共通のファンを用いて行うために、どちらか一方の部屋の換気を行った場合には、もう一方の部屋の換気も強制的に行われてしまう構造となっている。
例えば、浴室暖房作動時において脱衣所Ｄの換気を行おうとすると、浴室Ｂ内に供給された温風が換気ファンにより浴室排気ダクト５４ａに吸込まれてしまい、浴室Ｂ内の暖房効率が低下してしまうことになる。
そのため、従来は浴室暖房運転中に使用者が換気運転操作をした場合には、浴室暖房運転を強制的に停止した後に換気運転を行い、また逆に、換気運転中に使用者が浴室暖房運転操作をした場合には、換気運転を強制的に終了した後に浴室暖房運転を行う構成としていた。
【０００６】
ところが、平成１５年７月に建築基準法が改正され、新築される住居については、居室および居室に直接つながる部屋は、２４時間換気を行うことが義務付けられた。
この２４時間換気とは、２時間に一度以上、部屋の体積分以上の換気を行うことと定義されるが、実際には、部屋の体積は個々の建物や個々の部屋によって異なるため、上記従来技術のように、複数室の換気を同一の換気ファンで兼用する構造のものは、法定換気量から算出される換気時間よりも長時間換気ファンの運転を行う必要がある。そのため、実際には全ての建物に対応させるために、２４時間連続して換気ファンの運転を行うことが考えられる。
【０００７】
この場合には、浴室暖房中にも常に換気されることになり、所定の暖房性能を得るために熱源器や温風循環ファンの能力を上げる必要がある。
そのため、器具本体のコストアップにつながってしまう。
また、エネルギーロスが大きくなってしまうことに加え、浴室内を循環する空気量が増加するために、入浴者の体感温度は実際の浴室内温度に比べて低くなってしまい、入浴者に不快感をあたえてしまう。
【０００８】
本発明はかかる課題を解決し、複数室の換気機能を備えた浴室暖房換気システムにおいて、浴室内暖房作動時における強制換気を防止することを目的とする。
【課題を解決するための手段】
【０００９】
上記課題を解決する本発明の請求項１記載の浴室暖房換気システムは、浴室を暖房する浴室暖房装置と、
上記浴室を含む複数の部屋の換気を共通のファンにより一括して行なう換気装置と
を有する浴室暖房換気システムであって、
上記浴室暖房装置は、浴室の暖房運転時において、上記換気装置に暖房運転中である旨の暖房信号を出力して上記換気装置の作動をコントロールすることを要旨とする。
【００１０】
また、上記課題を解決する本発明の請求項２記載の浴室暖房換気システムは、上記請求項１記載の浴室暖房換気システムにおいて、上記暖房信号の出力が所定時間以上継続した場合には、上記暖房信号の出力を停止して、上記換気装置の作動を元の状態に復帰させることを要旨とする。
【００１１】
また、上記課題を解決する本発明の請求項３記載の浴室暖房換気システムは、上記請求項１または請求項２記載の浴室暖房換気システムにおいて、上記換気装置は、上記浴室から上記ファンに至る独立した排気通路および該排気通路の開度を調整する調整手段を備え、上記暖房信号を受信して上記調整手段により上記独立した排気通路を閉じる、あるいは開度を小さくすることを要旨とする。
【００１２】
また、上記課題を解決する本発明の請求項４記載の浴室暖房換気システムは、上記請求項１または請求項２記載の浴室暖房換気システムにおいて、上記換気装置は、上記ファンの回転数を制御する制御手段を備え、上記暖房信号を受信して上記制御手段により上記ファンの停止を行う、あるいは回転数を下げることを要旨とする。
【発明の効果】
【００１３】
上記構成を有する本発明の請求項１記載の浴室暖房換気システムは、浴室暖房装置が、運転中には暖房中である旨の暖房信号を換気装置に出力する。そして、暖房信号を受信した換気装置は、浴室内の換気量を調整する。
そのため、浴室暖房中において、換気用ファンにより強制的に吸引される温風量を調整することができ、温風のショートサイクルを抑制することができる。
これにより、浴室内暖房効率の悪化を抑制することができる。
【００１４】
また、上記構成を有する本発明の請求項２記載の浴室暖房換気システムは、暖房装置が暖房信号を所定時間以上継続して換気装置へ出力した場合には、信号出力を停止する。これにより、所定時間経過後には、換気手段の作動は確実に暖房運転開始前の状態に復帰する。つまり、所定時間以上、継続して部屋の換気が中断することがない。
これにより、住居者のシックハウス症等が懸念される新築の建物などに適用した場合であっても、暖房開始から所定時間経過後には、シックハウス症の原因となる有害物質の除去が確実に開始され、使用者の安全性を保つことができる。
【００１５】
また、上記構成を有する本発明の請求項３記載の浴室暖房換気システムは、調整手段が、暖房作動時には浴室内の空気を排気するための排気通路を閉じるあるいは開度を小さくする。
これにより、浴室の暖房中には、浴室以外の部屋の換気量は保ちながらも、浴室の換気量を減少あるいは停止させることができる。つまり、新築の建物において換気義務のある部屋の換気を連続して行うとともに、浴室においては暖房作動を優先させる。
従って、使用者の安全性および使用性の両方を保つことができる。
【００１６】
また、上記構成を有する本発明の請求項４記載の浴室暖房換気システムは、制御手段が、暖房作動時には換気ファンの停止を行う、あるいは回転数を少なくする。
これにより、部品点数を増加させずに、簡単な構成で、浴室暖房作動時における浴室換気量を減少させることができる。
従って、安価に暖房効率の低下を防止することができる。
【発明を実施するための最良の形態】
【００１７】
以上説明した本発明の構成、作用を一層明らかにするために、以下、本発明の浴室暖房換気システムにおける好的な実施例について説明する。
【実施例１】
【００１８】
本発明の実施例１の浴室暖房換気システムについて、図１を用いて説明する。
浴室暖房換気システム１は、屋外に設置される熱源器２と、浴室Ｂ内に設置される暖房放熱器３と、熱源器２と暖房放熱器３とを往きおよび戻りの配管で接続する循環管路４とからなる浴室暖房装置と、浴室Ｂ内と脱衣所Ｄ内とトイレＴ内との空気を吸引する換気装置５とから主に構成される。
【００１９】
熱源器２は、図示しないバーナおよび図示しない循環ポンプを備え、バーナを燃焼させることにより、循環管路４を介して暖房放熱器３へ循環温水を供給する。
【００２０】
循環管路４は、熱源器２から暖房放熱器３に温水を供給する往き管４１と、放熱後の温水を暖房放熱器３から熱源器２に戻す戻り管４２とを備える。
また、往き管４１の経路中には、暖房放熱器３への温水の供給をＯＮ／ＯＦＦする熱動開閉弁４３が設けられるとともに、温水の温度を検知する水温サーミスタ４４が設けられる。
【００２１】
暖房放熱器３は浴室Ｂの天井に設置され、循環管路４と接続された熱交換器３１と、温風循環ファン３２と、空気吸込口３４と、温風吹出口３６とを備える。
温風循環ファン３２は熱交換器３１の下流に配置され、この温風循環ファン３２が回転すると、浴室Ｂ内の空気が空気吸込口３４から、フィルタ３５を介して暖房放熱器３内に取り込まれる。そして、取り込まれた空気が熱交換器３１を通過する際に加熱されて温風となり、温風吹出口３６から浴室Ｂ内に吹出される。
空気吸込口３４近傍には、室温サーミスタ３７が備えられ、浴室内の温度を監視する。
また、暖房放熱器３は、温風吹出口３６から離れた位置に、換気用の吸込み口３８を備える。
【００２２】
換気装置５は、建物の外壁排気口に設けられる換気ファン５１と、換気ファン５１の吸入部に設けられる集合ボックス５３と、集合ボックス５３と浴室Ｂとを連通する浴室排気ダクト５４と、集合ボックス５３とトイレＴとを連通するトイレ排気ダクト５５と、集合ボックス５３と脱衣所Ｄとを連通する脱衣所排気ダクト５６とを備える。また、換気装置５は換気量をコントロールする換気コントローラＣ５を備える。
浴室排気ダクト５４は、暖房放熱器３に備えられた換気用吸込み口３８に接続されるとともに、集合ボックス５３との接続部にはモータによって駆動するダンパー５７が設けられる。このダンパー装置５７により、浴室排気ダクト５４は開度が調節可能に構成される。なお、図１はダンパー装置５７の閉状態を示す。
トイレ排気ダクト５５は、トイレＴの天井面に設けられたトイレ換気用給気口Ｔ１と接続される。
また、脱衣所排気ダクト５６は、脱衣所Ｄの天井面に設けられた脱衣所換気用給気口Ｄ１と接続される。
【００２３】
また、この浴室暖房換気システム１には、上述した浴室暖房装置各部の動作を制御する制御手段としてのコントローラＣと、このコントローラＣに動作情報を指令するリモコン操作部Ｒとを備える。
【００２４】
コントローラＣは、マイクロコンピュータを備えて構成され、上記リモコン操作部Ｒの動作情報に基づいて、熱源器２の運転及び停止、温風循環ファン３２や後述する換気ファン５１の運転及び停止、熱動開閉弁４３の開閉制御等を行う。
また、コントローラＣは、暖房作動時間をカウントするタイマーと、浴室暖房装置の運転中にＯＮ信号を換気コントローラＣ５に向けて出力する出力端子とを備える。
【００２５】
リモコン操作部Ｒは、浴室Ｂの入口付近や、脱衣所Ｄの壁面に設置され、図６に示すように、操作部および表示部をそなえる。
操作部には、運転モードを選択するためのモード選択部Ｒ１と、運転条件を設定するため条件設定部Ｒ２とが設けられる。
モード選択部Ｒ１には、暖房モードボタンＢ１、乾燥モードボタンＢ２、換気モードボタンＢ３、涼風モードボタンＢ４とが備えられる。この各ボタンＢ１〜４の近くには、それぞれ各モードが作動中であることを示すランプＬ１〜４が設けられる。
また、条件設定部Ｒ２には、浴室内の温度を設定するための温度設定ボタンＢ５、風向きの設定を行うための風向き設定ボタンＢ６、それぞれの運転時間を設定するタイマー設定ボタンボタンＢ７が設けられる。
表示部は、浴室暖房換気システム１の運転状況等を表示するディスプレイ部Ｒ３より構成される。
【００２６】
次に、２４時間連続換気中に暖房作動を開始した場合の、浴室暖房換気システム１の作動を図２のタイムチャートを用いて説明する。
【００２７】
２４時間連続換気運転中には、換気ファン５１は作動状態であり、ダンパー５７は全開状態である。
この換気運転中に、リモコン操作部Ｒの暖房スイッチＢ１を押すと、リモコン操作部ＲからコントローラＣに暖房運転開始信号が出力されて、浴室暖房装置の作動が開始する。また、この時、リモコン操作部Ｒの暖房モード表示ランプＬ１が点灯する。
【００２８】
コントローラＣは暖房開始信号を受けると、コントローラＣ内に備えたタイマーにより暖房作動時間のカウントを開始するとともに、コントローラＣに備えた出力端子から換気装置５に備えられた換気コントローラＣ５に向けてＯＮ信号を出力する。これにより、換気装置５に備えられたダンパー５７が浴室排気ダクト５４を閉止する。
また、熱源器２が運転を開始し、バーナ（図示せず）を燃焼させるとともに、循環ポンプ（図示せず）を作動させる。また、熱動開閉弁４３には電流が流れ、その電熱により熱動開閉弁４３は開弁する（Ｓ１）。
この熱源器２および熱動開閉弁４３の動作により、熱源器２から暖房放熱器３に温水が供給される。
【００２９】
その後、温水サーミスタ４４により暖房放熱器３に供給される温水の温度が、４０℃を越えたことが検知されると、温風循環ファン３２は作動を開始する（Ｓ２）。これにより、浴室Ｂ内の暖房運転は開始される。
この暖房運転モードにおいては、図４に示すように、循環ファン３２の通風作動によって、浴室Ｂ内の空気が空気吸込口３４を通して吸込まれ、空気吹出口３６から吹出されるまでに、熱交換器３１を通過し加熱されることにより、浴室Ｂ内が暖房されることになる。
【００３０】
ところで、この温風循環ファン３２は、浴室Ｂ内の冷風感防止のために、暖房放熱器３への入水温度に応じて風量を調節している。具体的には、温水サーミスタ４４の検知温度が４０℃以下では運転を行わず（Ｓ１）、４０℃〜４５℃の場合に低速Ｌで風を供給する（Ｓ２）。そして、４５℃以上と検知された場合には、高速Ｈで風を供給するように制御される（Ｓ３）。
【００３１】
また、室温サーミスタ３７により、浴室Ｂ内の温度が所定温度Ｔoff に達していることが検知されると、熱動開閉弁４３を閉止して、暖房放熱器３への温水の供給を停止するとともに、温風循環ファン３２の風力を中間速Ｍに弱める（Ｓ
４）。この所定温度Ｔoff は、浴室暖房の設定温度に対応するものである。
さらに、室温サーミスタ３７により、浴室Ｂ温度が所定温度Ｔoff より２℃以上高いことが検知されると、温風循環ファン３２は１分間運転を停止し（Ｓ５）、その後中間速Ｍにおける風の供給を開始する（Ｓ６）。
【００３２】
また、熱動開閉弁４３閉止後、室温サーミスタ３７により、浴室Ｂ内の温度が所定温度Ｔonまで下がっていることが検知されると、再度、熱動開閉弁４３を開弁し、温水を供給するとともに、温風循環ファン３２によって、高速Ｈで風を浴室に供給する（Ｓ７）。
【００３３】
浴室暖房運転中はこの後、Ｓ４からＳ７を繰り返して、浴室Ｂ内の温度を一定幅に保つ。
この間、換気ファン５１は継続して運転しているものの、ダンパー５７は閉じられているために、換気用吸込み口３８から、浴室Ｂ内の温かい空気が吸込まれて外部に排出されることがない。従って、浴室暖房効率を低下させることがない。
また、トイレ換気用給気口Ｔ１、脱衣所換気用給気口Ｄ１と換気ファン５１とは、それぞれトイレ排気ダクト５５、脱衣所排気ダクト５６により接続されているため、トイレＴおよび脱衣所Ｄの換気は継続して行われる。つまり、トイレＴ、脱衣所Ｄにおいては本来の換気機能が損なわれることがない。
【００３４】
また、コントローラＣ内に備えられたタイマーにより、暖房作動時間があらかじめ設定された連続換気停止時間を越えたことが判断されると、ダンパー５７が作動し、浴室排気ダクト５４は全開状態となる。この動作により、浴室内の換気が開始される。
この場合にも、上述した暖房単独作動時と同様に、浴室内の温度を室温サーミスタ３７が感知して、熱動開閉弁４３および循環ファン３２を制御することで浴室Ｂ内温度を設定温度に保つ。この場合には、浴室Ｂ内温度を設定温度に保つために、熱動開閉弁４３の開弁時間は長くなる。
なお、このダンパー５７が閉じられてから開かれるまでの連続換気停止時間は、施工時に、施工者が浴室の広さに応じて、０時間から２時間の間で設定し、その後は変更できないように構成される。
【００３５】
このように、暖房開始から一定時間経過後に、自動的に浴室Ｂ内空気の換気を開始するために、新築建物等で懸念されるシックハウス症の原因となる有害物質の室内濃度が一定以上となることがない。これにより、使用者の安全性を確保することができる。
【実施例２】
【００３６】
次に、実施例２の浴室暖房換気システムについて、図５を用いて説明を行う。
実施例２の浴室暖房換気システム１ｂは、実施例１の浴室暖房換気システム１が浴室換気量の調節をダンパー装置５７を用いて行っていたのに対し、換気ファン５１の回転数を制御することにより行うものである。
つまり、実施例２の浴室暖房換気システム１ｂにおいては、浴室排気ダクト５４にダンパー装置５７が設けられていない。
【００３７】
この浴室暖房換気システム１ｂは、連続換気運転中にリモコン操作部Ｒの暖房スイッチＢ１を押すと、リモコン操作部ＲからコントローラＣに暖房運転開始信号を出力して、浴室暖房装置の作動を開始させる。また、この時、リモコン操作部Ｒの暖房モード表示ランプＬ１が点灯する。
【００３８】
コントローラＣは暖房開始信号を受けると、コントローラＣ内に備えたタイマーにより暖房作動時間のカウントを開始するとともに、コントローラＣに備えた出力端子から換気装置５に備えられた換気コントローラＣ５に向けてＯＮ信号を出力する。これにより、換気ファン５１は回転数を減少させる。
そして、熱源器２が運転を開始し、バーナ（図示せず）を燃焼させるとともに、循環ポンプ（図示せず）を作動させる。また、熱動開閉弁４３には電流が流れ、その電熱により熱動開閉弁４３は開弁し、熱源器２から暖房放熱器３に温水が供給される。
【００３９】
そして、熱動開閉弁４３開弁から一定時間経過後には、循環ファン３２がの回転が開始し、浴室内の暖房運転が開始される。
この暖房運転モードにおいては、図５に示すように、循環ファン３２の通風作動によって、浴室Ｂ内の空気が空気吸込口３４を通して吸込まれ、空気吹出口３６から吹出されるまでに、熱交換器３１を通過し加熱されることにより、浴室Ｂ内が暖房されることになる。
【００４０】
また、コントローラＣ内に備えられたタイマーにより、暖房作動時間があらかじめ設定された連続換気停止時間を越えたことが判断されると、換気ファン５１の回転数は暖房開始前と同じ回転数に復帰する。この動作により、浴室内の換気量は暖房開始前と同等となる。
なお、この換気ファン５１の回転数が減少している時間、つまり浴室内換気量を減少させている時間は、コントローラＣにあらかじめ記憶されているように構成される。
【００４１】
この構成によれば、実施例１の効果に加えて以下の効果を奏する。
まず、ダンパー装置などを備えず、換気ファン５１の回転数により浴室Ｂ内の換気量を調整するために、簡単な構造で安価に製造できる。
また、浴室Ｂ内の暖房作動時にも、換気を全く停止するのではなく、換気量を少なくする構成としたために、使用者の安全性をより確実に確保できる。
【００４２】
以上、本発明の実施例について説明したが、本発明は、こうした実施形態に何ら限定されるものではなく、本発明の要旨を逸脱しない範囲において種々なる形態で実施しうることはもちろんである。
例えば実施例１では、暖房開始と同時にダンパー装置により排気通路を閉止し、一定時間は浴室内の換気を全く行わなかい構成としたが、暖房開始と同時に排気通路の開度を減少させ、浴室内の換気速度を弱めるような構成としてもよい。また、実施例２では、暖房中に一定時間浴室内の換気量を減少させるような構成としたが、換気ファンの回転を停止し、一定時間の間は換気を全く行わないような構成としてもよい。
また、実施例では前提として換気ファンが２４時間連続作動している構成を採っているが、ダンパーの作動は、換気ファンの連続作動中に限定しない。たとえば、換気ファンについて、１時間に一度、２０分間作動することを前提とし、その間に浴室暖房の作動が開始された時にはダンパーを閉じるような構成としてもよい。
さらに、換気が閉止されてから開始されるまでのタイマー時間は、施工者が設定するものや、あらかじめ記憶させる構造のものに限定せず、使用者が暖房運転時に、０〜２時間の間で設定する構造のものとしてもよい。
【産業上の利用可能性】
【００４３】
本発明は、暖房用熱源器と換気用ファンとを備えた種々の暖房乾燥装置に適応することができる。
【図面の簡単な説明】
【００４４】
【図１】本発明実施例１の浴室暖房換気システムを示す説明図である。
【図２】本発明実施例の浴室暖房換気システムの作動を示すタイムチャートである。
【図３】従来の浴室暖房換気システムを示す説明図である。
【図４】本発明実施例の暖房放熱器を示す説明図である。
【図５】本発明実施例２の浴室暖房換気システムを示す説明図である。
【図６】本発明実施例のリモコン操作部を示す説明図である。
【符号の説明】
【００４５】
１  浴室暖房換気システム
２  熱源器
３  暖房放熱器
４  循環管路
５  換気ファン部
Ｂ  浴室
Ｃ  コントローラ
Ｄ  脱衣所
Ｒ  リモコン操作部
Ｔ  トイレ
３１  熱交換器
３２  温風循環ファン
３４  空気吸込口
３５  フィルター
３６  温風吹出口
３７  室温サーミスタ
３８  換気用吸込み口
４１  往き管
４２  戻り管
４３  熱動開閉弁
４４  温水サーミスタ
５１  換気ファン
５４  浴室接続ダクト
５５  トイレ接続ダクト
５６  脱衣所接続ダクト
５７  ダンパー
Ｂ１  暖房スイッチ
Ｌ１  暖房モード表示ランプ
Ｌ３  換気モード表示ランプ
Ｄ１  脱衣所換気用給気口  
Ｔ１  トイレ換気用給気口
【図１】
2005121303.tif 000003
【図２】
2005121303.tif 000004
【図３】
2005121303.tif 000005
【図４】
2005121303.tif 000006
【図５】
2005121303.tif 000007
【図６】
2005121303.tif 000008